(57)【要約】従来、歯列の噛み合せ面と唇側、舌側の側面を同時に磨くことができる所謂全歯周歯ブラシは、磨き方が容易で、早く磨けるなど至便であるにはかゝわらず、ブラシ部の巾が広く、又製造に人手による組立作業や溶剤による溶着作業などを要し、コスト高となるなどの理由から普及しなかった。  硬質プラスチックを以て各２列の植毛孔を有する２連の植毛基材を一次成型し、植毛機により、植毛の間に歯列が納まる空隙部を設け、次いで、植毛面が約１５０°乃至１６０°になる治具を用い、一次成型材料と相熔性のある軟質ゴム状のプラスチックを以て両植毛基材１，１´、連繋帯２、把持部３、所要の形態を示す鎖線等のなす空隙部１０を充填成型する歯ブラシ、及び一面の歯ブラシ基材の植毛列を３乃至４列とし、内側の１乃至２列を短く刈り込み、外側各１列を長く植毛することにより、外側各列の側面でも磨けるようにすると共に歯ブラシが歯列から外れないようにした。
2008047492.tif 000002
【特許請求の範囲】
【請求項１】
手磨きの歯ブラシ及び軸方向に往復運動、又は振動する電動歯ブラシにおいて、夫々２列の植毛孔を有する二面の植毛基材１，１´は、肉薄の連繋帯２で植毛面が同一平面になるように連設され、把持部３から連なる頸部４はその厚さと巾を次第に減じつゝ連繋帯２に接続するよう飽和ポリエステル等の硬質プラスチック材料で射出成型法により一次成型し、次いで、中央２列が露出部の高さ約５乃至７粍に植毛し、外側各１列の露出部分の高さを通常の歯ブラシと同じ位の高さに植毛し、次いで、両植毛基材１，１´のなす角度が約１５０°乃至１６０°になる治具に固定し、両植毛基材と１，１´と連繋帯２及びブラシ頸部４及び所要の形態を示す鎖線部分のなす空隙部１０を一次成型材料と相熔性のある同系統の軟質プラスチックで射出成型法により、充填成型する二次成型からなる歯列を跨ぐ空隙列を有する歯ブラシ。
【請求項２】
製造順序が、一次成型、二次成型、植毛の順である請求項１の歯列を跨いで磨く歯ブラシ。
【請求項３】
手磨きの歯ブラシ及び軸方向に往復運動又は、振動する植毛基材一面の電動歯ブラシにおいて、植毛孔を軸方向に３又は４列として、その中央部１列又は２列を植毛し、その露出部の高さを約４乃至７粍に整え、次いで外側各１列の露出部の高さを通常の歯ブラシと同じ高さとする歯列を跨いで磨く歯ブラシ。
【請求項４】
外側植毛列に植毛するフィラメントは、断面が正三角形、正方形、又はその変形である請求の範囲１，２，３の歯列を跨いで磨く歯ブラシ。
【発明の詳細な説明】
【技術分野】  この発明は、歯ブラシのうち、歯列の噛み合せ面と、唇側、舌側の三面を同時に磨くことができる、所謂全歯周歯ブラシに関する。
【背景技術】  従来から、全歯周歯ブラシに関する特許、実用新案の出願は多数あるが、その大部分は、三面又は二面のなすＵ字、Ｖ字の内面に植毛するものである。然し、現在使われている最新のコンピューター制御の自動植毛機は、平板状の植毛基材にほゞ垂直に植毛する以外、斜め植毛などの自動植毛は不可能である。又、これを解決する植毛法の記述のない出願が大部分であり、これらは不十分な発明と言わざるを得ない。
コンピュータ制御植毛が可能な全歯周歯ブラシの文献を挙げれば
特許出願公告  昭和６３−５０３２７６  特開２００１−３４６６３３等があるが、これらの文献の開示内容からは人手による溶着作業や、組立作業が必要で、又これらの技術に準據した実売の商品のブラシ部分の巾は夫々２９粍、２５粍と大きく、構造上それ以下のブラシ巾では製作し得ないと思われる。又見た目にも、口腔内でも違和感があり、普及し得ていない。
本発明は、従来から売られている歯ブラシの巾１０乃至１２粍を保ち、三面が同時に磨ける歯ブラシを自動機械作業のみで製造し得る、全歯周歯ブラシを提供することを目的とする。
【発明の開示】
従来の歯ブラシで歯を磨く方法は、第４図のようにブラシ毛の端面切り口（以下、ブラシ毛の端面という）のみで磨掃する方法が採られ、全歯周歯ブラシでも、この方法が踏襲されている。
人の臼歯は５、６才頃に生える、所謂６才臼歯が一生の間に生える歯のうちで最も大きく、その最大部分の巾はおゝよそ１２粍あるが、その歯の噛み合せ面の巾は８粍位と狭くなっている。６才臼歯は、永久歯で一生の間その大きさは変わらず、生え変わることもない大切な歯である。全歯周歯ブラシでは、その大きな歯をブラシ毛の端面のみで磨掃する方法では到底目的を達成することは不可能であるから、ブラシ毛の側面でも磨掃したら良いのではないかと考え、研究の当初、三面とした植毛基材を二面とし、第５図乃至第１４図のように植毛列の数を４列、６才臼歯の生える前の幼児用は３列とした。中央１乃至２列のブラシ毛の高さを低くし、外側植毛列の高さを高くして、歯ブラシが歯列から外れないようにした。又、第２図のように１５°乃至３０°ローリングすれば、歯列から外れることもなく、歯列の舌側、唇側の両側面もブラシ毛の端面でも磨掃できることも判明した。
第４図は、従来の歯ブラシの露出部分の毛の高さ１１粍位の歯ブラシで噛み合せ面を磨いている場合の説明図であるが、歯の表面から植毛基材の背面までの寸法は１５粍位であるから、上下の噛み合せ面を磨くにはそれ以上に口を大きく開かねばならなかった。又、舌側の側面は、歯列を越えて磨かねばならないので面倒で、多くの時間を掛けて磨いても磨き残しがあり、それが歯周病の原因となることが多かった。
【図面の簡単な説明】  第１図は、本発明の植毛基材が２面の歯列を跨いで磨く歯ブラシで６才臼歯の噛み合せ面を磨いている説明図。
第２図は、第１図から１５°ローリングして磨いている説明図。
第３図は、本発明の植毛基材が単一の歯列を跨いで磨く歯ブラシで、６才臼歯の噛み合せ面を磨いている説明図。
第４図は、従来の歯ブラシで６才臼歯の噛み合せ面を磨いている説明図。
第５図は、植毛基材が二面の歯列を跨いで磨く歯ブラシの正面図。
第６図は、植毛基材が二面の歯列を跨いで磨く歯ブラシの植毛前の正面図。
第７図は、植毛基材が二面の歯列を跨いで磨く歯ブラシの植毛前の平面図。
第８図は、植毛基材が二面の歯列を跨いで磨く歯ブラシの植毛前の側面図。
第９図は、植毛基材が二面の歯列を跨いで磨く歯ブラシの二次成型前治具にセットした第７図Ａ−Ａ´の断面図。
第１０図は、植毛基材が一面の３列植毛の歯列を跨いで磨く歯ブラシの植毛前の正面図。
第１１図は、植毛基材が一面の３列植毛の歯列を跨いで磨く歯ブラシの植毛前の平面図。
第１２図は、植毛基材が一面の３列植毛の歯列を跨いで磨く歯ブラシの植毛前の側面図。
第１３図は、植毛基材が一面の３列植毛の歯列を跨いで磨く歯ブラシの正面図。
第１４図は、植毛基材が一面の４列植毛の歯列を跨いで磨く歯ブラシの正面図。
第１５図は、外側列植毛フィラメントの断面が三角形変形の断面図。
第１６図は、外側列植毛フィラメントの断面が正方形変形の断面図。
【発明を実施するための最良の形態】  本発明を、添付の図面に従って詳細に説明する。
歯列の三面を同時に磨くには、二面の歯ブラシを第１図のように組合わせ、６才臼歯を磨くにもブラシ毛の側面でも磨けば、植毛基材の全巾は６才臼歯の全巾とほゞ同じで良いことが判ったので、全植毛列の数を４列とすることにより、歯ブラシ部の巾を１２粍以下とすることが可能で、第１図、第２図はその使用状態を示す。次に製作過程を述べる。
第７図において、両植毛基材１，１´、これを繋ぐ連繋体２には把持部３に連なるブラシ頸部４が連設され、弾力のある硬質のプラスチック、例えば飽和ポリエステル等により、第６図乃至第８図のように射出成型法により一次成型される。
一次成型品は、次いで自動植毛機に掛けられ、中央２列の植毛孔５に植毛され、好ましくはバリカンにより最高部が７粍位の山形に刈り、更に外側各列の植毛孔６には、好ましくは一方が先細りに尖り、一方が長手方向に直角に所定の長さに切断したフィラメントを、垂直に切断した側をブラシ全体の中心側に、先細りの方をブラシ全体の外側に、且つ垂直側は中央列の植毛よりやゝ高く植毛する。
外側列植毛フィラメントの断面を正三角形、又は正方形、或いは第１５図、第１６図のように、その変形にすれば磨掃能力を一層向上させることができる。
植毛した半製品は、次いで両植毛面がなす角度が約１５０°乃至１６０°になるような治具にセットし、両植毛基材１，１´、これを繋ぐ連繋帯２、把持部３から連なるブラシ頸部４と鎖線で示す空隙部１０は、一次成型材料と相熔性があり、これより軟質のゴム状プラスチックを以て、二次成型の射出充填成型を行う。
一次成型と植毛が終り、治具にセットされた本歯ブラシの第７図のＡ−Ａ´断面図を第９図に示す。
即ち、一次射出成型により本歯ブラシの骨格を形成し、次いで植毛し、二次射出成型により肉付けを行うことを特徴とし、手作業による組立てや、溶剤による接着作業を無くし、自動機による作業でコストを低減し、製品の均一化を図ることができる。
二次成型の材料はゴム状プラスチックであるから、植毛と二次成型の順序を変え、一次成型、二次成型、植毛の順とすることも可能である。
第４図に示すように、従来の歯ブラシで噛み合せ面を磨いている時の歯の表面と植毛基材の背面までの高さは約１５粍であり、これに対し本歯ブラシでは第１図、第３図に示すように、約１０粍位であるから、その差丈口を大きく開けないで磨け、磨いている歯の反対顎の歯が植毛基材の背面に当ることは少ない。又、両植毛基材の背面の間は軟質のゴム状のプラスチックで、植毛基材の背面より僅かに盛り上げて成型されているから、噛み合せ面を磨いている時、反対側顎の歯が、該部に当っても衝撃や衝撃音は緩和される。
然し、射出成型を二度に分けて行うことは金型２組を要し、その分コスト高となるため、歯列を跨いで磨くメリットはその儘温存し、デメリットを低減できる次の方法を採った。
即ち、第１１図に示す植毛孔列は６才臼歯が生える前の幼児用は３列とし、６才臼歯が生えた以後の人用は４列とし、第１３図、第１４図のように歯列を跨ぐ空隙列を構成する植毛を行うのであるが、その方法は植毛基材２面のものと全く同じで、完成した時に植毛が１０°乃至１５°内側に傾いているか否かの相違と、噛み合せ面を磨いている時の衝撃が吸収されるか否かの相違である。
【産業上の利用可能性】  植毛基材２面の歯列を跨いで磨く歯ブラシは、６才臼歯の生えた以後の幼児や、老人、身体不自由者、要介護者等が使用しても、たやすく早く磨け、安全であり、植毛基材一面のものは、多忙な人が急いで磨いても磨き残しがなく、価格も低廉に提供できるので、今まで普及し得なかった全歯周歯ブラシも広く使われる可能性は大きい。
【図１】
2008047492.tif 000003
【図２】
2008047492.tif 000004
【図３】
2008047492.tif 000005
【図４】
2008047492.tif 000006
【図５】
2008047492.tif 000007
【図６】
2008047492.tif 000008
【図７】
2008047492.tif 000009
【図８】
2008047492.tif 000010
【図９】
2008047492.tif 000011
【図１０】
2008047492.tif 000012
【図１１】
2008047492.tif 000013
【図１２】
2008047492.tif 000014
【図１３】
2008047492.tif 000015
【図１４】
2008047492.tif 000016
【図１５】
2008047492.tif 000017
【図１６】
2008047492.tif 000018
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
手磨きの歯ブラシ及び軸方向に往復運動、又は振動する電動歯ブラシにおいて、夫々２列の植毛孔を有する二面の植毛基材１、１′は、肉薄の連繋帯２で植毛面が同一平面になるように連設され、把持部３から連なる頸部４はその厚さと巾を次第に減じつゝ連繋帯２に接続するよう飽和ポリエステル等の硬質プラスチック材料で射出成型法により一次成型し、次いで、中央２列が露出部の高さ約５乃至７粍に植毛し、外側各一列の露出部分の高さを通常の歯ブラシと同じ位の高さに植毛し、次いで、両植毛基材１、１′のなす角度が１５０°乃至１６０°になる治具に固定し、ブラシ頸部４の周辺の
2008047492.tif 000019
性のある同系統の軟質プラスチックで射出成型法により、充填成型する二次成型からなる歯列を跨ぐ空隙列を有する歯ブラシ。